(57)【特許請求の範囲】
【請求項１】
球状塗布体を回転自由に抱持したチップが先口の中心孔に嵌着され、該先口が先端に接続された塗布液タンク内に、粘度の高い造膜性塗布液が充填されるとともに、撹拌子が内蔵された塗布具において、
細い線材が螺旋状に巻回されて成形された円筒状の大径部、テーパー部、先端小径部からなる振動子の該大径部が先口に固定されると共に、該先端小径部が先口の中心孔内に挿入され、
塗布具を軸線方向に振ると、該撹拌子が振動子のテーパー部に衝突して該振動子が振動し、振動子の先端小径部が先口の中心孔内の塗布液を撹拌することを特徴とする塗布具。
【請求項２】
球状塗布体を回転自由に抱持したチップが先口の中心孔に嵌着され、該先口が先端に接続された塗布液タンク内に、粘度の高い造膜性塗布液が充填されるとともに、撹拌子が内蔵された塗布具において、
細い線材が螺旋状に巻回されて成形された円筒状の大径部、テーパー部、先端小径部からなり、全長が塗布液タンクの内径よりも大きい振動子が該撹拌子と先口の間に配置され、
塗布具を軸線方向に振ると、振動子が撹拌子と共に先口側に移動して該先端小径部が先口の中心孔内に侵入して振動し、先口の中心孔内の塗布液を撹拌することを特徴とする塗布具。
【発明の詳細な説明】
【０００１】
【産業上の利用分野】
本発明は、修正液や化粧液など、顔料が溶媒内に分散した粘度の高い塗布液が充填された塗布具に関するものである。
【０００２】
【従来の技術】
塗布体が球状の塗布具は、顔料が溶媒内に分散した粘度の高い塗布液が充填された塗布液タンクの先端に先口を介してチップが取り付けられており、ボールペンと同様に、チップの先端からその一部が先端から臨出した状態で球状塗布体が回転自由に抱持されている。そして、球状塗布体をスプリングで弾発し、不使用時に、球状塗布体をチップの内向きの先端縁に密着させ、球状塗布体とチップの先端縁で弁構造を構成して塗布液が吐出しないようにしている。
【０００３】
使用時において、球状塗布体を塗布面に押し付けると球状塗布体がスプリングの弾発力に抗して後退し、球状塗布体とチップの先端縁との間に隙間ができるので、球状塗布体のチップ内の部分に付着した塗布液が球状塗布体の回転に伴ってこの隙間を通ってチップの外側に出て塗布される。
【０００４】
塗布液タンクに充填された造膜性の塗布液は、顔料が溶媒内に分散したものであるので、長時間放置しておくと、顔料が溶媒と分離して沈降する。このため、塗布液タンク内に球状や棒状の撹拌部材を配置し、使用に先だって、塗布具を振って上下動する撹拌部材で塗布液を撹拌し、分離した顔料を溶媒に分散させる必要がある。
【０００５】
【発明が解決しようとする課題】
ところで、直径がφ１ｍｍ程度の球状塗布体を回転自由に抱持したチップは外径がφ３ｍｍ程度であり、このチップか先口の中心孔の中腹部まで嵌着されている。従って、先口の中心孔の内径もφ３ｍｍ程度である。一方、塗布液タンクの内径はφ８ｍｍ程度であり、塗布液タンク内に配置された撹拌子の外径はφ６ｍｍ程度である。このため、塗布具を上下に振っても、撹拌子は先口の中心孔内に侵入しないので、先口の中心孔のチップが嵌着されていない部分に沈降した顔料を撹拌することができず、この先口の中心孔内に沈降した顔料が塗布液のチップへの流動を阻害し、塗布液がチップ先端からスムーズに吐出しない不具合がある。
【０００６】
そこで本発明は、チップが嵌着された先口の中心孔内に沈降した顔料も撹拌することが可能であり、塗布液がチップ先端からスムーズに吐出する塗布具を提供することを目的とする。
【０００７】
【課題を解決するための手段】
かかる目的を達成するために、請求項１の発明は、球状塗布体を回転自由に抱持したチップが先口の中心孔に嵌着され、先口が先端に接続された塗布液タンク内に、粘度の高い造膜性塗布液が充填されるとともに、撹拌子が内蔵された塗布具において、細い線材が螺旋状に巻回されて成形された円筒状の大径部、テーパー部、先端小径部からなる振動子の大径部を先口に固定すると共に、先端小径部を先口の中心孔内に挿入し、塗布具を軸線方向に振って撹拌すると、撹拌子が振動子のテーパー部に衝突して振動子が振動し、振動子の先端小径部が先口の中心孔内の塗布液を撹拌するようにする。
【０００８】
また、請求項２の発明は、球状塗布体を回転自由に抱持したチップが先口の中心孔に嵌着され、先口が先端に接続された塗布液タンク内に、粘度の高い造膜性塗布液が充填されるとともに、撹拌子が内蔵された塗布具において、細い線材が螺旋状に巻回されて成形された円筒状の大径部、テーパー部、先端小径部からなり、全長が塗布液タンクの内径よりも大きい振動子を撹拌子と先口の間に配置し、塗布具を軸線方向に振って撹拌すると、振動子が撹拌子と共に先口側に移動して先端小径部が先口の中心孔内に侵入して振動し、先口の中心孔内の塗布液を撹拌するようにする。
【０００９】
【発明の実施の形態】
以下に、図面に基づいて本発明の実施の形態を具体的に説明する。図１は請求項１の発明の実施例を示すが、図１において、合成樹脂で成形された先口２は内径がφ３．０ｍｍの中心孔２１を有し、この中心孔２１の中腹部までチップ３の尾端部が嵌着されている。従って、中心孔２１にはチップ３が嵌着されていない部分が存在する。
【００１０】
チップ３は、ステンレスにて砲弾型に形成されており、チップ３先端のボールハウスに、直径が例えばφ１．０ｍｍの超硬ボールからなる球状塗布体４がその一部がチップ３の先端から臨出した状態で回転自由に抱持されたボールペンタイプである。なお、チップ３は金属パイプからなるものであってもよい。そして、チップ３内には、質量の小さなスプリング（図示略）が配置されており、このスプリングが球状塗布体４を弾発してチップ３の内向きの先端縁に圧接している。つまり、球状塗布体４とチップ３の先端縁とで弁機構を構成し、不使用時に塗布液がチップ３の先端から吐出しないようになっている。
【００１１】
チップ３が嵌着された先口２が塗布液タンク１の先端開口に接続されている。円筒状の塗布液タンク１は、硬質合成樹脂で射出成形されたものであり、内径はφ８ｍｍである。塗布液タンク１および先口２内部からチップ３にかけて、例えば粘度が３０〜４０ｃｐｓであって、溶媒に顔料が分散した造膜性の高い修正液である塗布液Ｌが充填されている。そして、外径がφ６ｍｍの球状の撹拌子５が３個塗布液タンク１内に配置されている。また、不使用時にはキャップ９が先口２に嵌着されてチップ３の先端をシールしている。
【００１２】
振動子６は、細い線材を螺旋状に巻回して成形されたものであり、外径が先口２の内周面の内径に等しい円筒状の大径部６１と、徐々に径が小さくなるテーパー部６２と、外径が先口２の中心孔２１の内径よりも小さな円筒状の先端小径部６３が一体に連設されてなる。そして、大径部６１は先口２の内周面に固定されており、先端小径部６３は先口２の中心孔２１のチップ３が嵌着されていない部分に位置している。
【００１３】
しかして、かかる塗布具を軸線方向に、例えば先口２を下側にして上下に振ると、撹拌子５が塗布液Ｌ内を上下に移動して塗布液Ｌを撹拌し、溶剤から分離した顔料を溶剤に再び分散させる。そして、撹拌子５が下降したときに振動子６の大径部６１に入ってテーパー部６２に衝突する。これにより、振動子６が振動し、振動子６の先端小径部６３が先口２の中心孔２１内で上下に振動するので、先口２の中心孔２１内の塗布液Ｌを撹拌する。従って、先口２の中心孔２１内で沈降した顔料も溶剤に分散し、塗布液Ｌはチップ３内にスムーズに流入する。
また、チップ３を下向きにして放置したときは、撹拌子５がテーパー部６２に当接した図１に示す状態になるので、撹拌子５とテーパー部６２が弁機構のような働きをし、溶剤から分離した顔料が先口２の中心孔２１内に沈降するのを阻止できる効果もある。
【００１４】
図２および図３は請求項２の発明の実施例を示すが、図２において、振動子６は、細い線材を螺旋状に巻回して成形されたものであり、円筒状の大径部６１と、徐々に径が小さくなるテーパー部６２と、外径が先口２の中心孔２１の内径よりも小さな円筒状の先端小径部６３が一体に連設されてなることは請求項１の発明の場合と同じであるが、大径部６１の外径は塗布液タンク１の内径よりも小さく、かつ振動子６の全長は塗布液タンク１の内径よりもずっと大きくなっている。そして、振動子６は、先端小径部６３を先口２側にして、先口２と撹拌子５の間に配置されている。つまり、振動子６は、塗布液タンク１内を上下動可能に配置されているが、全長が塗布液タンク１の内径よりもずっと大きいので、移動時に振動子６が回動して上下の方向が逆になることがない。その他の構造は図１に示すものと同じである。
【００１５】
しかして、かかる塗布具を軸線方向、例えば先口２を下側にして上下に振ると、撹拌子５が塗布液Ｌ内を上下に移動して塗布液Ｌを撹拌し、溶剤から分離した顔料を溶剤に再び分散させるが、撹拌子５が下降したときに振動子６の大径部６１に入ってテーパー部６２に衝突するので、振動子６も撹拌子５と共に下降し、図３に示すように、先端小径部６３が先口２の中心孔２１内に入り込む。そして、先端小径部６３がチップ３の尾端縁に当接すると、その反動で先端小径部６３が振動し、先口２の中心孔２１内の塗布液Ｌを撹拌する。従って、先口２の中心孔２１内で沈降した顔料も溶剤に分散し、塗布液Ｌはチップ３内にスムーズに流入する。
【００１６】
【発明の効果】
以上説明したように、本発明の塗布具は、塗布液タンクを軸線方向に振ると、細い線材を螺旋状に巻回して成形された振動子の先端小径部が、チップが嵌着された先口の内径の小さな中心孔内で振動して塗布液を撹拌するので、先口の中心孔内に沈降した顔料も撹拌することが可能であり、塗布液がチップ先端からスムーズに吐出する塗布具とすることができる。
【図面の簡単な説明】
【図１】請求項１の発明の実施例を示す断面図である。
【図２】請求項２の発明の実施例を示す断面図である。
【図３】請求項２の発明の実施例の使用状態を示す断面図である。
【符号の説明】
１    塗布液タンク
２    先口
２１    先口の中心孔
３    チップ
４    球状塗布体
５    撹拌子
６    振動子
６１    大径部
６２    テーパー部
６３    先端小径部
９    キャップ
Ｌ    塗布液
【図１】
0003618620.tif 000002
【図２】
0003618620.tif 000003
【図３】
0003618620.tif 000004